(57)【要約】    【課題】  構図内に被写体として特定したいものが複数存在する場合に、撮影毎にその特定の被写体の位置を主被写体位置としてユーザ指定することなく特定の被写体の夫々についてその被写体位置を重視した撮影画像を得ることができる撮像装置及びその制御方法、並びにプログラム及び記憶媒体を提供する。    【解決手段】  撮像装置１００は、撮像部１と、信号処理部３と、撮影画像を表示する画像表示部７と、信号処理部３に接続された内蔵メモリ２と、信号処理部３に接続されたシステム制御部４と、画像表示部７と一体的な操作部９とを備える。システム制御部４は、シャッターレリーズ操作により撮影された画像を画像表示部７に表示し、この表示された画像の被写体のうち操作部９の十字キーで指定された主被写体位置に対応する被写体位置情報Ｐ（Ａ）を内蔵メモリ２にすべて記録し、記録された被写体位置情報Ｐ（Ａ）を順に読み出して、その読み出した被写体位置情報Ｐ（Ａ）に基づいて自動露出制御及び自動合焦制御等がされた撮影を連続的に行う。【選択図】      図１
2005352164.tif 000002
【特許請求の範囲】
【請求項１】
構図内に存在する複数の被写体の撮影画像をシャッターレリーズ操作により取得する撮影画像取得手段と、当該取得された撮影画像を表示する画像表示手段と、当該表示された撮影画像に含まれる前記複数の被写体のうちの特定の被写体の位置を主被写体位置として複数指定する指定手段とを備える撮像装置において、
前記指定された各主被写体位置とその指定された順番とを関連付けて記録する第１の記録手段と、
前記記録した各主被写体位置を前記指定された順番に前記第１の記録手段から読み出す読出手段とを備え、
前記撮影画像取得手段は、前記指定された順番に前記読み出された各主被写体位置において夫々合焦制御及び露出制御を行った上で前記特定の被写体の撮影を連続的に行うことを特徴とする撮像装置。
【請求項２】
前記撮影画像取得手段は、前記読出手段により前記主被写体位置の1つが読み出される毎に当該位置の測光値に最も高い重み付けを施して前記撮影画像全体の測光値を算出する測光値算出手段を備えることを特徴とする請求項１記載の撮像装置。
【請求項３】
前記撮影画像取得手段は、基準測光値に対する前記算出された測光値の差が所定値未満の場合に当該算出された測光値に基づく前記撮影画像の取得を行わないことを特徴とする請求項２記載の撮像装置。
【請求項４】
前記撮影画像取得手段は、基準測光値に対する前記算出された測光値の差が所定値以上である場合にのみ、前記算出された測光値に基づいて前記合焦制御及び前記露出制御を行った上で前記撮影を行うことを特徴とする請求項２記載の撮像装置。
【請求項５】
前記撮影画像取得手段は、前記基準測定値に対する前記算出された測光値の差が所定値以上である毎に前記算出された測光値に基づいて夫々前記合焦制御の制御値及び前記露出制御の制御値を算出する制御値算出手段と、前記合焦制御の制御値及び前記露出制御の制御値と当該両制御値を算出した順番とを互いに関連付けて記録する第２の記録手段を備え、
前記読出し手段は、前記記録した合焦制御の制御値及び露出制御の制御値を前記取得した順番に前記第２の記録手段から読み出し、前記画像表示手段は、前記他の読出手段が前記合焦制御の制御値及び露出制御の制御値を読み出す毎に当該読み出された合焦制御の制御値及び露出制御の制御値に基づいて前記撮影画像の画像処理を行うと共に、前記画像処理された撮影画像を表示し、前記撮影画像取得手段は、前記表示された撮影画像のうち撮影指示があったものについて、前記読み出された合焦制御の制御値及び露出制御の制御値に基づいて前記合焦制御及び前記露出制御を行った上で前記撮影を行うことを特徴とする請求項４記載の撮像装置。
【請求項６】
前記第２の記録手段は、前記指定された各主被写体位置と前記算出された順番とを関連付けて記録することを特徴とする請求項５記載の撮像装置。
【請求項７】
前記表示手段は、前記撮影が行われる毎に取得された特定被写体撮影画像を表示し、前記撮像装置は、前記画像表示手段によって表示された前記特定被写体撮影画像のうち記録指示があったものについて当該特定被写体撮影画像を記録する第３の記録手段を備えることを特徴とする請求項１乃至６のいずれか１項に記載の撮像装置。
【請求項８】
前記第３の記録手段は、前記記録された特定被写体撮影画像毎にその主被写体位置を記録することを特徴とする請求項７記載の撮像装置。
【請求項９】
前記指定手段は十字キー又はタッチパネルから成ることを特徴とする請求項１乃至８のいずれか１項に記載の撮像装置。
【請求項１０】
構図内に存在する複数の被写体の撮影画像をシャッターレリーズ操作により取得する撮影画像取得ステップと、当該取得された撮影画像を表示する画像表示ステップと、当該表示された撮影画像に含まれる前記複数の被写体のうちの特定の被写体の位置を主被写体位置として複数指定する指定ステップとを備える撮像装置の制御方法において、
前記指定された各主被写体位置とその指定された順番とを関連付けて記録する記録ステップと、
前記記録した各主被写体位置を前記指定された順番に読み出す読出ステップと、
前記撮影画像取得ステップは、前記指定された順番に前記読み出された各主被写体位置において夫々合焦制御及び露出制御を行った上で前記特定の被写体の撮影を連続的に行うことを特徴とする撮像装置の制御方法。
【請求項１１】
前記撮影画像取得ステップは、前記読出ステップで前記主被写体位置の1つが読み出される毎に当該位置の測光値に最も高い重み付けを施して前記撮影画像全体の測光値を算出する測光値算出ステップを備えることを特徴とする請求項１０記載の撮像装置の制御方法。
【請求項１２】
前記撮影画像取得ステップは、基準測光値に対する前記算出された測光値の差が所定値未満の場合に当該算出された測光値に基づく前記撮影画像の取得を行わないことを特徴とする請求項１１記載の撮像装置の制御方法。
【請求項１３】
前記撮影画像取得ステップは、基準測光値に対する前記算出された測光値の差が所定値以上である場合にのみ、前記算出された測光値に基づいて前記合焦制御及び前記露出制御を行った上で前記撮影を行うことを特徴とする請求項１１記載の撮像装置の制御方法。
【請求項１４】
前記撮影画像取得ステップは、前記基準測定値に対する前記算出された測光値の差が所定値以上である毎に前記算出された測光値に基づいて夫々前記合焦制御の制御値及び前記露出制御の制御値を算出する制御値算出ステップと、前記合焦制御の制御値及び前記露出制御の制御値と当該両制御値を算出した順番とを互いに関連付けて記録する他の記録ステップを備え、前記読出ステップは、前記他の記録ステップで記録した合焦制御の制御値及び露出制御の制御値を前記取得した順番に読み出し、前記画像表示ステップは、前記他の読出ステップで前記合焦制御の制御値及び露出制御の制御値を読み出す毎に当該読み出された合焦制御の制御値及び露出制御の制御値に基づいて前記撮影画像の画像処理を行うと共に、前記画像処理された撮影画像を表示し、前記撮影画像取得ステップは、前記表示された撮影画像のうち撮影指示があったものについて、前記読み出された合焦制御の制御値及び露出制御の制御値に基づいて前記合焦制御及び前記露出制御を行った上で前記撮影を行うことを特徴とする請求項１３記載の撮像装置の制御方法。
【請求項１５】
前記他の記録ステップは、前記指定された各主被写体位置と前記算出された順番とを関連付けて記録することを特徴とする請求項１４記載の撮像装置の制御方法。
【請求項１６】
前記表示ステップは、前記撮影が行われる毎に取得された特定被写体撮影画像を表示し、前記制御方法は、前記画像表示ステップで表示された前記特定被写体撮影画像のうち記録指示があったものについて当該特定被写体撮影画像を記録するさらに他の記録ステップを備えることを特徴とする請求項１０乃至１５のいずれか１項に記載の撮像装置の制御方法。
【請求項１７】
前記さらに他の記録ステップは、前記記録された特定被写体撮影画像毎にその主被写体位置を記録することを特徴とする請求項１６記載の撮像装置の制御方法。
【請求項１８】
前記指定ステップは、前記指定を十字キー又はタッチパネルを用いて行うことを特徴とする請求項１０乃至１７のいずれか１項に記載の撮像装置の制御方法。
【請求項１９】
構図内に存在する複数の被写体の撮影画像をシャッターレリーズ操作により取得する撮影画像取得モジュールと、当該取得された撮影画像を表示する画像表示モジュールと、当該表示された撮影画像に含まれる前記複数の被写体のうちの特定の被写体の位置を主被写体位置として複数指定する指定モジュールとコンピュータに実行させる撮影装置制御プログラムにおいて、
前記指定された各主被写体位置とその指定された順番とを関連付けて記録する記録モジュールと、
前記記録した各主被写体位置を前記指定された順番に読み出す読出モジュールとをコンピュータに実行させ、
前記撮影画像取得ステップは、前記指定された順番に前記読み出された各主被写体位置において夫々合焦制御及び露出制御を行った上で前記特定の被写体の撮影を連続的に行う特徴とする撮像装置制御プログラム。
【請求項２０】
請求項１９記載の撮像装置制御プログラムを格納することを特徴とするコンピュータ読取り可能な記憶媒体。
【発明の詳細な説明】
【技術分野】
【０００１】
本発明は、撮像装置及びその制御方法、並びにプログラム及び記憶媒体に関し、特に、主被写体を自動露出制御（ＡＥ）及び自動合焦制御（ＡＦ）により撮影する撮像装置及びその制御方法、並びにプログラム及び記憶媒体に関する。
【背景技術】
【０００２】
従来、デジタルカメラは、画像を表示する表示部の前面にタッチパネルを有し、人物等、ユーザが意図した特定の被写体（以下「主被写体」という）を重視した撮影や、記録画像の再生、プリントを行う方法としては、表示部の画像を見ながら、タッチパネル上の主被写体を指やペン等で触って指示することにより、主被写体を重視した自動露出制御（ＡＥ）、自動焦点制御（ＡＦ）を行い、且つ撮影画像を記録媒体に記録する際に主被写体の位置を示す主被写体位置情報を画像情報と共に記録媒体に記録する方法が開示されている（例えば、特許文献１参照）。
【特許文献１】特開平１１−１３６５６８号公報
【発明の開示】
【発明が解決しようとする課題】
【０００３】
しかしながら、構図内に被写体が複数存在し、それらを夫々適正露出で撮影する場合、ユーザは撮影毎に主被写体を指示しなくてはならず、操作が煩雑であるという問題があった。
【０００４】
本発明の目的は、構図内に被写体として特定したいものが複数存在する場合に、撮影毎にユーザ指定することなく特定の被写体の各々を重視した撮影画像を得ることができる撮像装置及びその制御方法、並びにプログラム及び記憶媒体を提供することにある。
【課題を解決するための手段】
【０００５】
上記目的を達成するために、請求項１記載の撮像装置は、構図内に存在する複数の被写体の撮影画像をシャッターレリーズ操作により取得する撮影画像取得手段と、当該取得された撮影画像を表示する画像表示手段と、当該表示された撮影画像に含まれる前記複数の被写体のうちの特定の被写体の位置を主被写体位置として複数指定する指定手段とを備える撮像装置において、前記指定された各主被写体位置とその指定された順番とを関連付けて記録する第１の記録手段と、前記記録した各主被写体位置を前記指定された順番に前記第１の記録手段から読み出す読出手段とを備え、前記撮影画像取得手段は、前記指定された順番に前記読み出された各主被写体位置において夫々合焦制御及び露出制御を行った上で前記特定の被写体の撮影を連続的に行うことを特徴とする。
【０００６】
請求項２記載の撮像装置は、請求項１記載の撮像装置において、前記撮影画像取得手段は、前記読出手段により前記主被写体位置の1つが読み出される毎に当該位置の測光値に最も高い重み付けを施して前記撮影画像全体の測光値を算出する測光値算出手段を備えることを特徴とする。
【０００７】
請求項３記載の撮像装置は、請求項２記載の撮像装置において、前記撮影画像取得手段は、基準測光値に対する前記算出された測光値の差が所定値未満の場合に当該算出された測光値に基づく前記撮影画像の取得を行わないことを特徴とする。
【０００８】
請求項４記載の撮像装置は、請求項２記載の撮像装置において、前記撮影画像取得手段は、基準測光値に対する前記算出された測光値の差が所定値以上である毎に前記算出された測光値に基づいて前記合焦制御及び前記露出制御を行った上で前記撮影を行うことを特徴とする。
【０００９】
請求項５記載の撮像装置は、請求項４記載の撮像装置において、前記撮影画像取得手段は、前記基準測定値に対する前記算出された測光値の差が所定値以上である毎に前記算出された測光値に基づいて夫々前記合焦制御の制御値及び前記露出制御の制御値を算出する制御値算出手段と、前記合焦制御の制御値及び前記露出制御の制御値と当該両制御値を算出した順番とを互いに関連付けて記録する第２の記録手段を備え、前記読出し手段は、前記記録した合焦制御の制御値及び露出制御の制御値を前記取得した順番に前記第２の記録手段から読み出し、前記画像表示手段は、前記他の読出手段が前記合焦制御の制御値及び露出制御の制御値を読み出す毎に当該読み出された合焦制御の制御値及び露出制御の制御値に基づいて前記撮影画像の画像処理を行うと共に、前記画像処理された撮影画像を表示し、前記撮影画像取得手段は、前記表示された撮影画像のうち撮影指示があったものについて、前記読み出された合焦制御の制御値及び露出制御の制御値に基づいて前記合焦制御及び前記露出制御を行った上で前記撮影を行うことを特徴とする。
【００１０】
請求項６記載の撮像装置は、請求項５記載の撮像装置において、前記第２の記録手段は、前記指定された各主被写体位置と前記算出された順番とを関連付けて記録することを特徴とする。
【００１１】
請求項７記載の撮像装置は、請求項１乃至６のいずれか１項に記載の撮像装置において、前記表示手段は、前記撮影が行われる毎に取得された特定被写体撮影画像を表示し、前記撮像装置は、前記画像表示手段によって表示された前記特定被写体撮影画像のうち記録指示があったものについて当該特定被写体撮影画像を記録する第３の記録手段を備えることを特徴とする。
【００１２】
請求項８記載の撮像装置は、請求項７記載の撮像装置において、前記第３の記録手段は、前記記録された特定被写体撮影画像毎にその主被写体位置を記録することを特徴とする。
【００１３】
請求項９記載の撮像装置は、請求項１乃至８のいずれか１項に記載の撮像装置において、前記指定手段は十字キー又はタッチパネルから成ることを特徴とする。
【００１４】
上記目的を達成するために、請求項１０記載の制御方法は、構図内に存在する複数の被写体の撮影画像をシャッターレリーズ操作により取得する撮影画像取得ステップと、当該取得された撮影画像を表示する画像表示ステップと、当該表示された撮影画像に含まれる前記複数の被写体のうちの特定の被写体の位置を主被写体位置として複数指定する指定ステップとを備える撮像装置の制御方法において、前記指定された各主被写体位置とその指定された順番とを関連付けて記録する記録ステップと、前記記録した各主被写体位置を前記指定された順番に読み出す読出ステップと、前記撮影画像取得ステップは、前記指定された順番に前記読み出された各主被写体位置において夫々合焦制御及び露出制御を行った上で前記特定の被写体の撮影を連続的に行うことを特徴とする。
【００１５】
請求項１１記載の制御方法は、請求項１０記載の制御方法において、前記撮影画像取得ステップは、前記読出ステップで前記主被写体位置の1つが読み出される毎に当該位置の測光値に最も高い重み付けを施して前記撮影画像全体の測光値を算出する測光値算出ステップを備えることを特徴とする。
【００１６】
請求項１２記載の制御方法は、請求項１１記載の制御方法において、前記撮影画像取得ステップは、基準測光値に対する前記算出された測光値の差が所定値未満の場合に当該算出された測光値に基づく前記撮影画像の取得を行わないことを特徴とする。
【００１７】
請求項１３記載の制御方法は、請求項１１記載の制御方法において、前記撮影画像取得ステップは、基準測光値に対する前記算出された測光値の差が所定値以上である毎に前記算出された測光値に基づいて前記合焦制御及び前記露出制御を行った上で前記撮影を行うことを特徴とする。
【００１８】
請求項１４記載の制御方法は、請求項１４記載の制御方法において、前記撮影画像取得ステップは、前記基準測定値に対する前記算出された測光値の差が所定値以上である毎に前記算出された測光値に基づいて夫々前記合焦制御の制御値及び前記露出制御の制御値を算出する制御値算出ステップと、前記合焦制御の制御値及び前記露出制御の制御値と当該両制御値を算出した順番とを互いに関連付けて記録する他の記録ステップを備え、前記読出ステップは、前記他の記録ステップで記録した合焦制御の制御値及び露出制御の制御値を前記取得した順番に読み出し、前記画像表示ステップは、前記他の読出ステップで前記合焦制御の制御値及び露出制御の制御値を読み出す毎に当該読み出された合焦制御の制御値及び露出制御の制御値に基づいて前記撮影画像の画像処理を行うと共に、前記画像処理された撮影画像を表示し、前記撮影画像取得ステップは、前記表示された撮影画像のうち撮影指示があったものについて、前記読み出された合焦制御の制御値及び露出制御の制御値に基づいて前記合焦制御及び前記露出制御を行った上で前記撮影を行うことを特徴とする。
【００１９】
請求項１５記載の制御方法は、請求項１４記載の制御方法において、前記他の記録ステップは、前記指定された各主被写体位置と前記算出された順番とを関連付けて記録することを特徴とする。
【００２０】
請求項１６記載の制御方法は、請求項１０乃至１５のいずれか１項に記載の制御方法において、前記表示ステップは、前記撮影が行われる毎に取得された特定被写体撮影画像を表示し、前記制御方法は、前記画像表示ステップで表示された前記特定被写体撮影画像のうち記録指示があったものについて当該特定被写体撮影画像を記録するさらに他の記録ステップを備えることを特徴とする。
【００２１】
請求項１７記載の制御方法は、請求項１６記載の制御方法において、前記さらに他の記録ステップは、前記記録された特定被写体撮影画像毎にその主被写体位置を記録することを特徴とする。
【００２２】
請求項１８記載の制御方法は、請求項１０乃至１７のいずれか１項に記載の制御方法において、前記指定ステップは、前記指定を十字キー又はタッチパネルを用いて行うことを特徴とする。
【００２３】
上記目的を達成するために、請求項１９記載の撮影装置制御プログラムは、構図内に存在する複数の被写体の撮影画像をシャッターレリーズ操作により取得する撮影画像取得モジュールと、当該取得された撮影画像を表示する画像表示モジュールと、当該表示された撮影画像に含まれる前記複数の被写体のうちの特定の被写体の位置を主被写体位置として複数指定する指定モジュールとコンピュータに実行させる撮影装置制御プログラムにおいて、前記指定された各主被写体位置とその指定された順番とを関連付けて記録する記録モジュールと、前記記録した各主被写体位置を前記指定された順番に読み出す読出モジュールとをコンピュータに実行させ、前記撮影画像取得ステップは、前記指定された順番に前記読み出された各主被写体位置において夫々合焦制御及び露出制御を行った上で前記特定の被写体の撮影を連続的に行う特徴とする。
【００２４】
上記目的を達成するために、請求項２０記載の記憶媒体は、請求項１９記載の撮像装置制御プログラムを格納することを特徴とする。
【発明の効果】
【００２５】
請求項１記載の撮像装置、請求項１０記載の制御方法、請求項１９記載の制御プログラム、及び請求項２０記載の記憶媒体によれば、撮影画像に含まれる前記複数の被写体のうちの特定の被写体の位置を主被写体位置として複数指定し、この指定された各主被写体位置とその指定された順番とを関連付けて記録し、指定された順番に読み出された各主被写体位置において夫々合焦制御及び露出制御を行った上で上記特定の被写体の撮影を連続的に行うので、構図内に被写体として特定したいものが複数存在する場合に、撮影毎にその特定の被写体の位置を主被写体位置としてユーザ指定することなく特定の被写体の夫々についてその被写体位置を重視した撮影画像を得ることができる。
【００２６】
請求項２記載の撮像装置及び請求項１１記載の制御方法によれば、第１の記録手段から主被写体位置の1つが読み出される毎にその位置に最も高い重み付けを施して撮影画像全体の測光値を算出するので、ユーザが指定した主被写体位置毎に露光制御された撮影画像を取得することができる。
【００２７】
請求項３記載の撮像装置及び請求項１２記載の制御方法によれば、基準測光値に対する上記算出された測光値との差が所定値未満の場合にこの算出された測光値基づく撮像画像の取得を行わないので、基準測光値と算出された測光値が同レベルのときは、現在指定された順番の主被写体撮影を禁止することができ、全く同じ画像が２度撮影されるのを防止することができる。
【００２８】
請求項４記載の撮像装置及び請求項１３記載の制御方法によれば、基準測光値に対する算出測光値の差が上記所定値以上である場合にのみ、算出された測光値に基づいて合焦制御及び露出制御を行うので、同レベルの測光値が無駄に第１の記録手段に上書き記録されるのを防止することができる。
【００２９】
請求項５記載の撮像装置及び請求項１４記載の制御方法によれば、基準測定値に対する算出測定値の差が所定値以上である毎に夫々合焦制御の制御値及び露出制御の制御値を算出し、この算出した両制御値とその算出された順番とを関連づけて最初にまとめて記録し、算出された順番に両制御値が読み出される毎にこの読み出された両制御値に基づいて撮影画像の画像処理を行って表示し、この画像処理された撮影画像が表示されているときに、撮影指示があった場合、読み出された合焦制御の制御値及び露出制御の制御値に基づいて合焦制御及び露出制御を行って撮影を行うので、ユーザは撮影により得られる画像と同等の画像を撮影する前に事前に確認することができ、もってユーザの意図に反した画像が誤って撮影されるのを防止できる。
【００３０】
請求項６記載の撮像装置及び請求項１５記載の制御方法によれば、指定された各主被写体位置と合焦制御の制御値及び露出制御の制御値が算出された順番とを関連付けて記録するので、撮影前に上記両制御値に基づいて画像処理が行われた場合であっても確実にユーザは撮影した画像の何処を主被写体位置として指定したかを容易に確認することができる。
【００３１】
請求項７記載の撮像装置及び請求項１６記載の制御方法によれば、撮影が行われる毎に取得した特定被写体撮影画像を表示し、この表示された特定被写体撮影画像ついて記録指示があった場合にその特定被写体撮影画像を記録するので、ユーザの意図に反した画像が誤って記録されるのを防止できる。
【００３２】
請求項８記載の撮像装置及び請求項１７記載の制御方法によれば、記録された特定被写体撮影画像毎にその主被写体位置を記録するので、ユーザは撮影した画像の何処を主被写体位置として指定したかを容易に確認することができる。
【発明を実施するための最良の形態】
【００３３】
以下、本発明の実施の形態を図面を参照しながら説明する。
【００３４】
図１は、本発明の実施の形態に係る撮像装置の構成を概略的に示すブロック図である。
【００３５】
図１において、撮像装置１００は、撮像部１（撮影画像取得手段）と、信号処理部３と、出力用メモリ５と、Ｄ／Ａ変換器６と、ＴＦＴ型ＬＣＤから成り、撮影画像を表示する画像表示部７（画像表示手段）とを備え、これらは順に接続されている。撮像装置１００は、また、信号処理部３に接続された内蔵メモリ２と、信号処理部３及び出力用メモリ５に夫々接続されたシステム制御部４（撮影画像取得手段、画像表示手段）と、システム制御部４に接続されたストロボ８と、画像表示部７と一体的な操作部９とを備える。操作部９は、信号処理部３及びシステム制御部４に対して各種の動作指示を入力する。これらの構成により、撮影装置１００は、シャッターレリーズ操作により複数の被写体が構図内に存在する撮影画像を取得したり、後述する連続撮影によりその取得した撮影画像中に存在する複数の被写体のうち、特定の被写体（以下、「主被写体」という）に対し合焦制御や露出制御を行った撮影画像（以下、「特定被写体撮影画像」という）を取得する。
【００３６】
撮像部１は、例えば変倍部と補正部を有するリア焦点式ズームレンズから成る撮影レンズ（撮像光学系）と、絞り機能を持つシャッター（光量調節用絞り）と、撮影レンズの後方に配置されたＣＣＤ（撮像素子）とを備える。撮影レンズは、ＣＣＤの受光面に被写体像結像し、ＣＣＤは、結像した被写体像を光電変換して映像信号として出力する。
【００３７】
内蔵メモリ２は、例えばカメラ内蔵フラッシュメモリから成るが、撮像部１のＣＣＤから出力された映像画像データを保存できるものであれば、これに限定されるものでなく、例えば外部メモリであってもよい。外部メモリである場合、ＰＣＭＣＩＡカードやコンパクトフラッシュ（登録商標）等のメモリカード、ハードディスク等だけでなく、マイクロＤＡＴ、光磁気ディスク、ＣＤ−ＲやＣＤ−ＷＲ等の光ディスク、ＤＶＤ等の相変化型光ディスク等の着脱自在なメモリが例示でき、また、メモリカードとハードディスク等が一体となった複合媒体であってもよく、その複合媒体から一部が着脱可能な構成としてもよい。
【００３８】
信号処理部３は、ＣＤＳクランプ回路やゲイン調整回路等のアナログ処理回路と、Ａ／Ｄ変換器と、輝度信号生成回路、色差信号生成回路及びガンマ補正回路等のデジタル画像処理回路とを備える。信号処理部３は、また、撮像部１のＣＣＤから出力された映像信号を処理して内蔵メモリ２に記録すると共に、撮像部１のＣＣＤから出力された映像信号や、内蔵メモリ２から読み出された映像信号を信号処理部３で処理した後、出力用メモリ５に出力する。
【００３９】
Ｄ／Ａ変換器６は、出力用メモリ５の映像信号をＤ／Ａ変換し、画像表示部７は、Ｄ／Ａ変換された映像信号を撮影画像として表示する。
【００４０】
システム制御部４は、撮像部１の各構成要素の制御を司り、操作部９の操作により指定された主被写体の位置に合わせて順に自動焦点制御（ＡＦ）、自動露出制御（ＡＥ）等により撮影を行う（以下「連続主被写体撮影」という）ように、撮像部１の制御、画像表示部７における表示制御、内蔵メモリ２への映像信号の書き込み／読み出し制御を行う。
【００４１】
操作部９は、各種の動作指示を入力するための操作手段であり、スイッチやダイアル、十字キー、タッチパネル、視線検知によるポインティング、音声認識装置等の単数或いは複数の組み合わせで構成され、この操作部９により、電源オフ、自動撮影モード、撮影モード、パノラマ撮影モード、再生モード、マルチ画面再生・消去モード、ＰＣ接続モード等の撮像装置１００の各機能モードを切り替え設定したり、画像表示部７のＯＮ／ＯＦＦを設定したり、撮影直後に撮影した画像データを自動再生するクイックレビュー機能を設定したり、その他、メニューボタン、セットボタン、マクロ／非マクロ切り替えボタン、マルチ画面再生改ページボタン、フラッシュ設定ボタン、単写／連写／セルフタイマー／長秒時（スローシャッター）/モード切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等の機能を設定することもできる。
【００４２】
また、操作部９によるフラッシュ設定には、自動発光／強制発光／発行禁止／赤目緩和自動発光／夜景発光モードが存在するが、上記撮影モード切り替えによりスローシャッターモードに切り替えた時にフラッシュモードを発光禁止モードに切り替えるタイミングをどうとるかは、カメラ設計上特に限定されるものでなく、また使用者の設定に任せてもよいのは言うまでもない。
【００４３】
本実施の形態においては、内蔵メモリ２は信号処理部３と分離した記録媒体として説明したが、内蔵メモリ２を構成するいずれか又は全ての記録媒体が信号処理部３に固定したままとなっていてもよく、信号処理部３に内蔵メモリ２が単数又は複数の任意の個数接続可能な構成であってもよい。また、内蔵メモリ２は複数の記録媒体から構成されてもよく、単数又は複数のいずれの組み合わせにより構成されてもよい。
【００４４】
さらに、本実施の形態においては、画像表示部７は、画像表示を撮像装置１００内にあるものとしたが、ビデオアンプとビデオ信号出力端子を介して撮像装置１００と接続している外部装置や、通信手段及びコネクタを介して撮像装置１００から画像データが転送される外部装置であってもよい。
【００４５】
画像表示部７は、例えば図６のように、８×８の６４のエリア（測光枠）に分割されており、ユーザが、操作部９を介してエリアの１つを選択すると、画像表示部７が選択されたエリアを検出し、その検出されたエリアを主被写体の領域として、図７のように、主被写体の部分の測光値に高い重み付けを施すと共に、主被写体以外の領域の測光値には低い重み付けを施し、画面全体から測光値を算出して、その算出された測光値に基づいて露出値を算出する。尚、図６では、画像表示部７の画面を８×８のエリアに分割した例で示されているが、分割形態はこれに限らない。
【００４６】
図２は、図１の撮像装置１００によって実行される撮影処理のフローチャートである。
【００４７】
本処理は、撮像装置１００のシステム制御部４によって実行され、連続主被写体撮影を行う。
【００４８】
図２において、まず、操作部９のモード操作により撮像装置１００の機能モードが撮影モードに設定され（ステップＳ１００でＹＥＳ）、シャッターレリーズ操作がなされたときに（ステップＳ１０２でＹＥＳ）、撮像装置１００は被写体の撮影を行う（ステップＳ１０３）。
【００４９】
その後、撮影された撮影画像を画像表示部７に表示すると共に内部メモリ２に記録し（ステップＳ１０４）、所定時間（Ｘ秒）以内にこの表示された画像に基づいて操作部９の十字キーによる主被写体位置の指定が有ったか否かを判別し（ステップＳ１０５）、所定時間内に主被写体位置の指定が有ったときは、初期値が０である撮影順番Ａを１だけインクリメントして（ステップＳ１０６）、ステップＳ１０５で指定された主被写体位置が図６の８×８の６４測光枠のうちのどの位置するかを主被写体位置情報Ｐ（Ａ）として指定した撮影順番Ａと関連付けて信号処理部３を介して出力用メモリ５に記録した後（ステップＳ１０７）（第１の記録手段）、ステップＳ１０５〜Ｓ１０７の処理を繰り返す。
【００５０】
上記所定時間（Ｘ秒）は、内蔵メモリ２に記憶されており、ユーザは操作部９を介して設定可能なものであって、その設定時間に制限はない。
【００５１】
ステップＳ１０５〜Ｓ１０７の処理は、ユーザがステップＳ１０５において主被写体位置の指定を所定時間（Ｘ秒）以内に行えば制限なく繰り返される。但し、操作部９の操作により指定した位置を全てリセットした場合は、上記設定した所定時間もリセットされる。また、所定時間の設定をせず、ユーザから終了指示が出されるまでこのステップＳ１０５〜Ｓ１０７の処理を繰り返すようにしてもよい。
【００５２】
一方、ステップＳ１０５の判別の結果、所定時間以内に主被写体位置の指示がないときは、撮影順番Ａの最大値Ｎを内蔵メモリ２に記録する（ステップＳ１０８）。この撮影順番Ａの最大値Ｎは、操作部９の操作によりステップＳ１０５で指示した主被写体位置を全てリセットした場合、０にリセットされる。
【００５３】
次に、撮影順番Ａの最大値Ｎが０であるか判別し（ステップＳ１０９）、０であるときは、主被写体位置の指定が全くなかったとして、本処理をそのまま終了し、０より大きいときは、システム制御部４は、撮影順番Ａを１に設定して（ステップＳ１１０）、ステップＳ１１１に進む。
【００５４】
その後、内蔵メモリ２に記録された主被写体位置情報Ｐ（Ａ）を内蔵メモリ２から読み出し（ステップＳ１１１）（読出手段）、ステップＳ１０４で画像表示部７に表示された画像のうち、この読み出された主被写体位置情報Ｐ（Ａ）の対応位置における測光値に高い重み付けを施すと共に、この位置以外の領域における測光値に低い重み付けを施してこの画像全体の測光値Ｃ１を算出する（ステップＳ１１２）。これにより、特定被写体撮影画像について露光制御を確実に行うことができる。
【００５５】
次いで、内蔵メモリ２から予め記録された基準測光値Ｃ２を読み出して（ステップＳ１１３）、両測光値Ｃ１，Ｃ２の差Δ（＝Ｃ１−Ｃ２）が第１の所定値を越える否かを判別する（ステップＳ１１４）。この第１の所定値は、操作部９の操作により設定可能であり、内蔵メモリ２に記憶されている。
【００５６】
ステップＳ１１４の判別の結果、両測光値Ｃ１，Ｃ２の差Δが第１の所定値以上であるときは、内蔵メモリ２の基準測光値Ｃ２を測光値Ｃ１に変更すべく上書き記録し（ステップＳ１１５）、この上書き記録された測光値Ｃ１に基づいて、絞り制御値（Ａｖ（Ａ））、シャッター制御値（Ｔｖ（Ａ））、感度（Ｓｖ（Ａ））の３つの要素から構成される露出制御値Ｄ（Ａ）を算出し（ステップＳ１１６）、次いで、露出制御値Ｄ（Ａ）のうちシャッター制御値（Ｔｖ（Ａ））が第２の所定値以上か否かを判別する（ステップＳ１１７）。この第２の所定値は、手ぶれ値であり、内蔵メモリ２に記録されている。
【００５７】
ステップＳ１１７の判別の結果、シャッター制御値（Ｔｖ（Ａ））が第２の所定値以上であるときは、そのまま露出制御値Ｄ（Ａ）に基づいて自動露出制御を行うと共に、主被写体位置情報Ｐ（Ａ）において自動合焦制御を行った上で被写体の撮影を行い（ステップＳ１１８）、一方、シャッター制御値（Ｔｖ（Ａ））が第２の所定値未満であるときは、後述する図３のストロボ撮影処理を行って（ステップＳ１１９）、ステップＳ３０３に進む。
【００５８】
図３のストロボ撮影処理では、まず、プリ発光を行ってプリ発光撮影画像を取得し（ステップＳ２０１）、取得されたプリ発光撮影画像のうち、主被写体位置情報Ｐ（Ａ）における測光値に高い重み付けを施すと共に、この主被写体位置以外の領域における測光値に低い重み付けを施してこの画像全体の測光値Ｃ３を算出し（ステップＳ２０２）、その後、この測光値Ｃ３を基に本発光量を算出して（ステップＳ２０３）、算出された本発光量となるようストロボ８の露光を制御して撮影し（ステップＳ２０４）、本処理を終了する。これにより、ユーザが指定した主被写体毎に露光制御された撮影画像を取得することができる。
【００５９】
図２に戻り、ステップＳ１１８において主被写体位置情報Ｐ（Ａ）に基づき、ストロボ撮影処理を行うことなく露出制御及び合焦制御のみを行って被写体の撮影を行うか、ステップＳ１１９においてストロボ撮影処理も行って被写体の撮影を行い、これにより得られた特定被写体撮影画像Ｅ（Ａ）を内蔵メモリ２に記録することなく画像表示部７に表示し（ステップＳ１２０）、所定時間までにユーザから操作部９によるステップＳ１２０で表示された画像を記録する指示が有ったか否かを判別する（ステップＳ１２１）。
【００６０】
ステップＳ１２１の判別の結果、画像を記録する指示が有ったときは、特定被写体撮影画像Ｅ（Ａ）を信号処理部３を介して、内蔵メモリ２に記録する（ステップＳ１２２）（第３の記録手段）。一方、画像を記録する指示がないときは、直ちに、撮影順番Ａを1だけインクリメントして（ステップＳ１２３）、次に、撮影順番Ａが最大値Ｎ未満か否かを判別し、撮影順番Ａの値がＮ未満であるときは（ステップＳ１２４でＹＥＳ）、ステップＳ１１１以降の処理を行って連続撮影を行い、撮影順番Ａの値がＮであるときは（ステップＳ１２４でＮＯ）、本処理を終了する。これにより、指定された複数の主被写体位置の夫々について自動露出制御及び自動合焦制御が行われた撮影画像を確実に得ることができる。
【００６１】
この時、ユーザからの操作部９による撮影指示は、操作部９内の記録指示ボタンの押下の有無を検出することにより行ってもよいし、画像表示部７上に記録指示を問う旨を表示し、操作部９内のＳＥＴボタンの押下の有無を検出することによりその決定を行うようにしてもよい。
【００６２】
ステップＳ１２０及びＳ１２１の処理によれば、システム制御部４は、上記記録された主被写体位置情報Ｐ（Ａ）に基づいて、順に自動露出制御及び自動合焦制御等がされた撮影画像を内蔵メモリ２に記録することなく画像表示部７に表示し（ステップＳ３０３）、所定時間までに記録指示があったときに（ステップＳ３０４でＹＥＳ）、その表示された画像の特定被写体撮影画像Ｅ（Ａ）を内蔵メモリ２に記録するので（ステップＳ１２０）、ユーザは内蔵メモリ２への記録前に記録画像と同等の画像を確認した上で、その撮影した画像の記録を指示するか否かを判断でき、ユーザの意図に反した画像が誤って記録されるのを防止できる。
【００６３】
一方、ステップＳ１１４の判別の結果、測光値Ｃ１，Ｃ２の差Δが第１の所定値未満であるときは、ステップＳ１１５のように内蔵メモリ２の測光値Ｃ２を測光値Ｃ１に変更すべく上書き記録を行わず、直ちに撮影順番Ａの値を１だけインクリメントして（ステップＳ１２１）、ステップＳ１２２以降の処理を実行する。これにより、ステップＳ１１２において算出された今回の測光値Ｃ１が前回の主被写体撮影（ステップＳ１１８，Ｓ１１９）で用いられた基準測光値Ｃ２と同レベルである場合は、現在の撮影順番Ａにおける主被写体撮影を禁止でき、全く同じ画像が２度撮影されるのを防止することができる。また、測光値Ｃ１，Ｃ２の差Δが第１の所定値以上であるときのみ、内蔵メモリ２の測光値Ｃ２を測光値Ｃ１に変更すべく上書き記録し（ステップＳ１１５）、所定値未満のときはこの上書き記録を行わないので（ステップＳ１２１）、同レベルの測光値が無駄に内部メモリ２に上書き記録されるのを防止することができる。
【００６４】
以上のように、図２の処理によれば、シャッターレリーズ操作により撮影された画像を画像表示部７に表示し（ステップＳ１０４）、この表示された画像内の被写体のうち操作部９の十字キーで主被写体位置が指定される毎に（ステップＳ１０５でＹＥＳ）、その指定された主被写体位置に対応する被写体位置情報Ｐ（Ａ）を内蔵メモリ２にすべて記録し（ステップＳ１０７）、記録された被写体位置情報Ｐ（Ａ）を順に読み出して（ステップＳ１１１）、読み出した被写体位置情報Ｐ（Ａ）に基づいて自動露出制御及び自動合焦制御等がされた撮影を連続的に行うので（ステップＳ１１２〜Ｓ１２２）、主被写体として指定したい位置が複数存在する場合に、ユーザが異なる主被写体の位置を指定する毎にシャッターレリーズ操作による新たな撮影を行う必要をなくし、且つ夫々の主被写体について自動露出制御及び自動露出制御が行われた撮影画像を得ることができる。
【００６５】
また、本実施の形態では、ユーザによる主被写体位置の指定動作を操作部９の十字キーによるものとしたが、操作部９を構成するいずれかの入力手段によるものであればこれに限定されるものではなく、例えば操作部９の他の操作キーやタッチパネルによるものでもよい。また、本実施の形態では、測光枠を図６のように画面を８×８のエリアに分割した例で示されているが、分割形態はこれに限定されるものではない。
【００６６】
本実施の形態では、画像表示部７はシャッターレリーズ操作によって撮影した静止画を表示するが、表示された画像によりユーザが主被写体位置を指定することができれば、静止画に限定されず、例えば２度のシャッターレリーズ操作によりその撮影時間が規定された動画であってもよい。
【００６７】
図４は、図１の撮像装置１００によって実行される他の撮影処理のフローチャートである。
【００６８】
本処理は、撮像装置１００のシステム制御部４によって実行され、図２の処理と基本的に同じであり、図４のフローチャートにおいて、図２のフローチャートと同一の処理を行うステップは図示を省略しており、異なるステップのみ示している。
【００６９】
本処理は、指定された各主被写体位置について算出された各測光値に基づいて夫々取得された合焦制御の制御値及び露出制御の制御値を最初にまとめて記録し、指定された各主被写体位置の各々について上記記録された合焦制御の制御値及び露出制御の制御値を読み出しつつ撮影を連続的に行う点で、図２の処理と異なる。
【００７０】
図２のステップＳ１００〜Ｓ１１６の処理により算出した絞り制御値（Ａｖ（Ａ））、シャッター制御値（Ｔｖ（Ａ））、感度（Ｓｖ（Ａ））の３つの要素から構成される露出制御値Ｄ（Ａ）を内部メモリ２に記録し（ステップＳ３００）（第２の記録手段）、撮影順番Ａを1だけインクリメントして（ステップＳ３０１）、次に、ステップＳ３０１でインクリメントした撮影順番Ａが最大値Ｎ未満か否かを判別する（ステップＳ３０２）。撮影順番Ａの値がＮ未満であるときは（ステップＳ３０２でＹＥＳ）、ステップＳ１１１以降の処理を繰り返す。
【００７１】
ステップＳ３０２の判別の結果、撮影順番Ａの値がＮであるときは（ステップＳ３０２でＮＯ）、初期値が０である指定順番Ｂを１だけインクリメントして（ステップＳ３０３）、次に、内部メモリ２に記録された撮影画像を露出制御値Ｄ（Ｂ）に基づいて画像処理して（ステップＳ３０４）、この画像処理された撮影画像を画像表示部７に表示し（ステップＳ３０５）、このとき同時に、表示された画像と同等の画像の撮影を行うか否かの問いをユーザに通知して、その通知に対する応答としての撮影要求の有無を判別する（ステップＳ３０６）。この通知方法が、特に限定されるものではないが、例えば、画像表示部７の一部に上記画像処理された撮影画像と一緒に「ＯＫ？」と「ＮＯ？」という文字を入れるようにし、ユーザがタッチパネルでこの「ＯＫ？」の部分を選択したときにユーザから撮影要求があったと判別し、「ＮＯ？」の部分を選択したときにユーザから撮影要求がなかったと判別してもよい。
【００７２】
ステップＳ３０６の判別の結果、撮影要求がないときは、ユーザから撮影要求があるまで（ステップＳ３０６でＹＥＳ）、ステップＳ３０３〜Ｓ３０６の処理を繰り返し、撮影要求があったときは、露出制御値Ｄ（Ｂ）のうち、シャッター制御値（Ｔｖ（Ｂ））が第２の所定値以上であるか否かを判別し（ステップＳ３０７）、シャッター制御値（Ｔｖ（Ｂ））が第２の所定値以上であるときは、露出制御値Ｄ（Ｂ）に基づいて自動露出制御を行うと共に、主被写体位置情報Ｐ（Ｂ）において自動合焦制御を行った上で被写体の撮影を行って特定被写体撮影画像Ｅ（Ｂ）を取得し（ステップＳ３０８）、ステップＳ３１０の処理に進み、一方、シャッター制御値（Ｔｖ（Ｂ））が第２の所定値未満であるときは、前述した図３のストロボ撮影処理を行って、特定被写体撮影画像Ｅ（Ｂ）を取得し（ステップＳ３０９）、ステップＳ３１０の処理に進む。
【００７３】
続くステップＳ３１０では、ステップＳ３０８又はステップＳ３０９により取得した特定被写体撮影画像Ｅ（Ｂ）を内蔵メモリ２に記録することなく画像表示部７に表示し、所定時間までにユーザから操作部９によりこの表示された特定被写体撮影画像Ｅ（Ｂ）を記録する指示が有ったか否かを判別する（ステップＳ３１１）。
【００７４】
ステップＳ３１１の判別の結果、画像を記録する指示が有ったときは、特定被写体撮影画像Ｅ（Ｂ）を信号処理部３を介して、内蔵メモリ２に記録した（ステップＳ３１２）後、一方、画像を記録する指示がないときは、直ちに、指定順番Ｂを1だけインクリメントして（ステップＳ３１３）、指定順番Ｂが最大値Ｎ未満か否かを判別し、指定順番Ｂの値がＮ未満であるときは（ステップＳ３１４でＹＥＳ）、ステップＳ３０４以降の処理を行って連続撮影を行い、指定順番Ｂの値が最大値Ｎであるときは（ステップＳ３１４でＮＯ）、本処理を終了する。
【００７５】
図４の処理によれば、撮影順番Ａを最大値Ｎになるまで順にインクリメントして（ステップＳ３０１）、内部メモリ２に露出制御値Ｄ（Ａ）を記録し（ステップＳ３００）、指定順番Ｂの順に露出制御値Ｄ（Ｂ）に基づいて画像処理された撮像画像を画像表示部７に表示した後に（ステップＳ３０５）、撮影要求により露出・合焦制御後の撮影、又はストロボ撮影を行うので（ステップＳ３０８，Ｓ３０９）、撮影要求のあったもののみまとめて撮影することができる。
【００７６】
また、図４のステップＳ３１１〜Ｓ３１４の処理によれば、図２のステップＳ１２１〜Ｓ１２４の処理と同様の効果として、指定された複数の主被写体位置の夫々について自動露出及び自動合焦制御が行われた撮影画像を確実に得ることができる。
【００７７】
ユーザは撮影により得られる画像と同等の画像を撮影する前に事前に確認することができるので、ユーザの意図に反した画像が誤って撮影されるのを防止できる。
【００７８】
また、本実施の形態でも、ユーザによる被写体指示動作を操作部９の十字キーによるものとしたが、操作部９を構成するいずれかの入力手段によるものであればこれに限定されるものではなく、例えば操作部９の他の操作キーやタッチパネルによるものでもよい。さらに、本実施の形態でも、測光枠を図６のように画面を８×８のエリアに分割した例で示されているが、分割形態はこれに限定されるものではない。
【００７９】
図５は、図１の撮像装置１００によって実行される再生処理のフローチャートである。
【００８０】
本処理は、撮像装置１００のシステム制御部４によって実行され、再生時に画像表示部７で撮影した画像を再生表示した上で、その再生画像の主被写体位置を指示するものである。
【００８１】
図５において、まず、操作部９のモード操作部の操作により撮像装置１００のモードが再生モードに設定されると（ステップＳ４００でＹＥＳ）、撮影順番Ａを１に設定し（ステップＳ４０１）、ステップＳ１２０において内蔵メモリ２に記録された特定被写体撮影画像Ｅ（Ａ）が有るか否かを判別し（ステップＳ４０２）、特定被写体撮影画像Ｅ（Ａ）が有れば、特定被写体撮影画像Ｅ（Ａ）を読み出して再生する（ステップＳ４０３）。
【００８２】
次に、操作部９の操作により主被写体位置を表示する指示が有ったか否かを判別し（ステップＳ４０４）、主被写体位置の表示指示が有ったときは、ステップＳ１０７で内蔵メモリ２に記録された主被写体位置情報Ｐ（Ａ）を読み出して、その主被写体位置をステップＳ４０３で再生した特定被写体撮影画像Ｅ（Ａ）に表示した（ステップＳ４０５）後、一方、主被写体位置を表示指示がないときは（ステップＳ４０４でＮＯ）、直ちにステップＳ４０６に進む。操作部９の操作による被写体指示位置の表示指示は、操作部９内に予め主被写体位置表示指示ボタンを設定しておき、このボタンをユーザが押下することにより決定してもよく、画像表示部７上に被写体指示位置表示を問う旨を表示し、操作部９内のＳＥＴボタンをユーザが押下することにより決定してもよい。
【００８３】
次いで、操作部９の操作により次の特定被写体撮影画像Ｅ（Ａ＋１）の読み出し指示があると（ステップＳ４０６でＹＥＳ）、撮影順番Ａを１だけインクリメントして（ステップＳ４０７）、撮影順番Ａが最大値Ｎ未満であるか否かを判別し（ステップＳ４０８）、撮影順番が最大値Ｎ未満であるときは、ステップＳ４０３以降の処理を繰り返し、一方、撮影順番が最大値Ｎであるときは、本処理を終了する。
【００８４】
操作部９の操作による次の画像情報読み出し指示の情報は、被写体指示位置表示と同様に、操作部９内に予め次の画像情報読み出し指示ボタンを設定しておき、このボタンをユーザが押下することにより決定してもよく、画像表示部７上に次の画像情報読み出し指示を問う旨を表示し、操作部９内のＳＥＴボタンをユーザが押下することにより決定してもよい。
【００８５】
ステップＳ４０２の判別の結果、特定被写体撮影画像Ｅ（Ａ）がないときは、特定被写体撮影画像Ｅ（Ａ）の読み出し・再生を行うことなく、ステップＳ４０７以下の処理を実行して、次の撮影順番Ａ＋１以降の処理に進む。
【００８６】
図５の処理によれば、ユーザが画像表示部７で撮影した画像を再生する場合において（ステップＳ４００）、ユーザから主被写体位置の表示指示が有ったときは（ステップＳ４０４でＹＥＳ）、その再生した画像の主被写体位置を表示するので（ステップＳ４０５）、ユーザは撮影した画像の図６の８×８の６４測光枠のうち何処を主被写体位置として指示したかを容易に確認することができる。
【００８７】
また、図４の処理において、指定された各主被写体位置Ｐと露出制御値Ｄは、ともに撮影順番Ａと関連付けて記録されているので（ステップＳ３００）、撮影前に露出制御値Ｄに基づいて画像処理が行われた場合であっても確実にユーザは撮影した画像の何処を主被写体位置として指定したかを容易に確認することができる。
【００８８】
また、本実施の形態でも、測光枠を図６の様に画面を８×８のエリアに分割した例で示されているが、分割形態はこれに限らない。
【００８９】
本発明は、上述した実施の形態の機能を実現するソフトウェアのプログラム（図２〜図５のフローチャート）をシステム制御部４に供給し、システム制御部４が該供給されたプログラムを読出して実行することによって達成することができる。
【００９０】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００９１】
上記プログラムの形態は、オブジェクトコード、インタプリタにより実行されるプログラムコード、ＯＳ（オペレーティングシステム）に供給されるスクリプトデータ等の形態から成ってもよい。
【００９２】
また、本発明は、上述した実施の形態の機能を実現するソフトウェアのプログラムを記憶した記憶媒体をＣＰＵに供給し、そのＣＰＵが記憶媒体に記憶されたプログラムを読出して実行することによっても、達成することができる。
【００９３】
この場合、格納媒体から読出されたプログラムコード自体が上述した各実施の形態の機能を実現すると共に、そのプログラムコードを記憶した記憶媒体は本発明を構成する。
【００９４】
プログラムコードを記憶する記憶媒体としては、例えば、ＲＯＭ、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００９５】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【００９６】
【図１】本発明の実施の形態に係る撮像装置の構成を示すブロック図である。
【図２】図１の撮像装置１００によって実行される撮影処理のフローチャートである。
【図３】図２のステップＳ１１９のストロボ撮影処理のフローチャートである。
【図４】図１の撮像装置１００によって実行される他の撮影処理のフローチャートである。
【図５】図１の撮像装置１００によって実行される再生処理のフローチャートである。
【図６】図１における画像表示部７によって表示される測光枠を示す図である。
【図７】図６の測光枠に対する測光値の重み付け方法を説明するのに用いられる図である
【符号の説明】
【００９７】
１  撮像部
２  内蔵メモリ
３  信号処理部
４  システム制御部
５  出力用メモリ
７  画像表示部
９  操作部
１００  撮像装置
【図１】
2005352164.tif 000003
【図２】
2005352164.tif 000004
【図３】
2005352164.tif 000005
【図４】
2005352164.tif 000006
【図５】
2005352164.tif 000007
【図６】
2005352164.tif 000008
【図７】
2005352164.tif 000009